(57)【特許請求の範囲】
【請求項１】
それぞれ複数の操作子を有し、操作パネル上に所定の配列順序に関連して配置された複数のチャンネルストリップを備える操作手段と、
前記複数のチャンネルストリップに、それぞれ１つの制御対象を割り当てる割当手段であって、各チャンネルストリップに割り当てた制御対象のパラメータ値は、そのチャンネルストリップの操作子の操作に応じて変更される割当手段と、
前記配列順序に従い、複数のチャンネルストリップのうちの連続する一部範囲のチャンネルストリップに割り当てられた制御対象のパラメータ値を、表示手段に表示させる表示制御手段とを備え、
前記表示制御手段は、ユーザの第１操作に従い、前記表示手段の表示を、ある一部範囲のチャンネルストリップに割り当てられた制御対象のパラメータ値の表示から、別の一部範囲のチャンネルストリップに割り当てられた制御対象のパラメータ値の表示に変更し、
前記配置された複数のチャンネルストリップには、前記割当手段がそのチャンネルストリップに割り当てる制御対象をユーザの第２操作に応じて変更できる可変割当チャンネルストリップと、前記割当手段がそのチャンネルストリップに対して制御対象を固定的に割り当てる固定割当チャンネルストリップとが含まれており、
ユーザの前記第２操作に応じて、何れかの可変割当チャンネルストリップの制御対象が変更されたとき、前記表示制御手段は、その変更後の割り当てに従い、前記連続する一部範囲のチャンネルストリップに割り当てられた制御対象のパラメータ値を前記表示手段に表示させることを特徴とするパラメータ制御装置。
【請求項２】
請求項１に記載のパラメータ制御装置であって、
前記割当手段は、ユーザの、前記第２操作に従い、複数の可変割当チャンネルストリップへの制御対象の割り当てを一括で変更することを特徴とするパラメータ制御装置。
【請求項３】
請求項１又は２に記載のパラメータ制御装置であって、
ユーザの操作に従って前記操作手段の複数のチャンネルストリップのいずれかに割り当てられた制御対象を選択する選択手段と、
前記選択手段が制御対象を選択した場合に、前記表示制御手段は、前記表示手段の表示を、前記複数のチャンネルストリップのうちの、その制御対象が割り当てられたチャンネルストリップを含む連続する一部範囲のチャンネルストリップに割り当てられた制御対象のパラメータ値の表示に変更することを特徴とするパラメータ制御装置。
【請求項４】
請求項１乃至３のいずれか一項に記載のパラメータ制御装置であって、
一の操作子と、
ユーザの操作に従って、前記一の操作子に、前記チャンネルストリップに割り当てられた任意の制御対象における任意のパラメータを割り当て、前記一の操作子の操作に従って、その割り当てたパラメータの値を変更する第２割当手段と、
前記一の操作子が操作されたとき、前記表示制御手段は、前記表示手段の表示を、前記複数のチャンネルストリップのうちの、前記一の操作子に割り当てられているパラメータが属する制御対象が割り当てられているチャンネルストリップを含む連続する一部範囲のチャンネルストリップに割り当てられた制御対象のパラメータ値の表示に変更することを特徴とするパラメータ制御装置。
【請求項５】
コンピュータに、それぞれ複数の操作子を有し、操作パネル上に所定の配列順序に関連して配置された複数のチャンネルストリップを備える装置を制御させて、
請求項１乃至４のいずれか一項に記載のパラメータ制御装置の機能を実現させるためのプログラム。
【発明の詳細な説明】
【技術分野】
【０００１】
この発明は、パラメータの値を制御するパラメータ制御装置及び、そのパラメータ制御装置の機能を実現するためのプログラムに関する。
【背景技術】
【０００２】
従来から、種々の装置において、操作パネル上に配置された操作子と、表示器に表示させる画面とを組み合わせることにより、ユーザが多数のパラメータを効率よく調整できるようにする技術が知られている。
【０００３】
例えば、非特許文献１には、複数の操作子を細長い領域に配列したチャンネル（ｃｈ）ストリップを多数配列して設けつつ、そのｃｈストリップの配列幅と対応した幅のディスプレイを設け、ディスプレイ上に、全ｃｈストリップについて、そのｃｈストリップと対応するＧＵＩ（グラフィカルユーザインタフェース）を表示することが記載されている。
【０００４】
また、非特許文献２には、操作パネル上に配置したｃｈストリップの一部と対応するディスプレイを設け、そのディスプレイに、そのディスプレイの手前側に配置されたｃｈストリップと対応するＧＵＩを表示し、他のｃｈストリップについては、対応するＧＵＩを表示しないことが記載されている。
【先行技術文献】
【非特許文献】
【０００５】
【非特許文献１】「ＮＵＡＧＥ  ＦＡＤＥＲ  Ｎｃｓ５００ＦＤ  オペレーションマニュアル」、[online]、２０１３年、ヤマハ株式会社、[平成２７年４月１３日検索]、インターネット<URL: http://www2.yamaha.co.jp/manual/pdf/pa/japan/others/ncs500-fd_ja_om_a1.pdf>
【非特許文献２】「ＤＩＧＩＴＡＬ  ＭＩＸＩＮＧ  ＣＯＮＳＯＬＥ  Ｍ７ＣＬ  取扱説明書」、[online]、２００５年、ヤマハ株式会社、[平成２７年４月１３日検索]、インターネット<URL:http://www2.yamaha.co.jp/manual/pdf/pa/japan/mixers/m7cl_ja_om_e0.pdf>
【発明の概要】
【発明が解決しようとする課題】
【０００６】
しかしながら、非特許文献１に記載の技術では、ｃｈストリップと対応するＧＵＩを表示したまま横スクロールすることにより、ｃｈストリップに割り当てる制御対象を選択するようになっており、その選択肢が増えてくると所望の制御対象に簡単にたどり着けなくなるという問題があった。
【０００７】
一方、非特許文献２のように、一部のｃｈストリップと対応するＧＵＩのみ表示するようにすると、低コスト化は図れるものの、対応するＧＵＩを表示できないｃｈストリップについては、操作性が低くなってしまうという問題があった。また、ディスプレイと対応するｃｈストリップに所望のｃｈを割り当ててＧＵＩを表示させようとする場合、ｃｈストリップへの制御対象の割り当てを変更しなければならなかった。
【０００８】
このような問題は、ｃｈストリップによる制御対象が何であるかに関わらず、発生し得るものである。
この発明は、このような問題を解決し、低コストで操作性のよいパラメータ制御装置を実現することを目的とする。
【課題を解決するための手段】
【０００９】
上記の目的を達成するため、この発明のパラメータ制御装置は、それぞれ複数の操作子を有し、操作パネル上に所定の配列順序に関連して配置された複数のチャンネルストリップを備える操作手段と、上記複数のチャンネルストリップに、それぞれ１つの制御対象を割り当てる割当手段であって、各チャンネルストリップに割り当てた制御対象のパラメータ値は、そのチャンネルストリップの操作子の操作に応じて変更される割当手段と、上記配列順序に従い、複数のチャンネルストリップのうちの連続する一部範囲のチャンネルストリップに割り当てられた制御対象のパラメータ値を、表示手段に表示させる表示制御手段とを設け、上記表示制御手段が、ユーザの第１操作に従い、上記表示手段の表示を、ある一部範囲のチャンネルストリップに割り当てられた制御対象のパラメータ値の表示から、別の一部範囲のチャンネルストリップに割り当てられた制御対象のパラメータ値の表示に変更するようにしたものである。さらに、上記配置された複数のチャンネルストリップには、上記割当手段がそのチャンネルストリップに割り当てる制御対象をユーザの第２操作に応じて変更できる可変割当チャンネルストリップと、上記割当手段がそのチャンネルストリップに対して制御対象を固定的に割り当てる固定割当チャンネルストリップとが含まれており、ユーザの上記第２操作に応じて、何れかの可変割当チャンネルストリップの制御対象が変更されたとき、上記表示制御手段は、その変更後の割り当てに従い、上記連続する一部範囲のチャンネルストリップに割り当てられた制御対象のパラメータ値を上記表示手段に表示させるようにしたものである。
【００１０】
このようなパラメータ制御装置において、上記割当手段が、ユーザの、上記第２操作に従い、複数の可変割当チャンネルストリップへの制御対象の割り当てを一括で変更するものであるとよい。
【００１１】
また、上記の各パラメータ制御装置において、ユーザの操作に従って上記操作手段の複数のチャンネルストリップのいずれかに割り当てられた制御対象を選択する選択手段を設け、上記選択手段が制御対象を選択した場合に、上記表示制御手段が、上記表示手段の表示を、上記複数のチャンネルストリップのうちの、その制御対象が割り当てられたチャンネルストリップを含む連続する一部範囲のチャンネルストリップに割り当てられた制御対象のパラメータ値の表示に変更するようにするとよい。
【００１２】
さらに、一の操作子と、ユーザの操作に従って、上記一の操作子に、上記チャンネルストリップに割り当てられた任意の制御対象における任意のパラメータを割り当て、上記一の操作子の操作に従って、その割り当てたパラメータの値を変更する第２割当手段とを設け、上記一の操作子が操作されたとき、上記表示制御手段が、上記表示手段の表示を、上記複数のチャンネルストリップのうちの、上記一の操作子に割り当てられているパラメータが属する制御対象が割り当てられているチャンネルストリップを含む連続する一部範囲のチャンネルストリップに割り当てられた制御対象のパラメータ値の表示に変更するようにするとよい。
また、この発明は、上記のように装置として実施する他、システム、方法、プログラム、記録媒体等、任意の態様で実施することができる。
【発明の効果】
【００１３】
以上のようなこの発明の構成によれば、表示器上の画面に表示されたパラメータを表示器の外部に設けた操作子に割り当てて、その操作子の操作によりパラメータの値を変更する場合における、割り当て操作の操作性を向上させることができる。
【図面の簡単な説明】
【００１４】
【図１】図１は、この発明のパラメータ制御装置の実施形態であるデジタルミキサのハードウェア構成例を示す図である。
【図２】図１に示したＤＳＰで実行される信号処理の構成をより詳細に示す図である。
【図３】図１に示したデジタルミキサが備える操作パネルの概略構成を示す図である。
【図４】ｃｈ一覧画面の表示内容について説明するための図である。
【図５】バンクデータテーブルの例を示す図である。
【図６】ｃｈストリップへのｃｈの割当変更指示を検出した場合に図１に示したデジタルミキサのＣＰＵが実行する処理のフローチャートである。
【図７】同じくｃｈストリップ中の編集操作子の操作を検出した場合の処理のフローチャートである。
【図８】同じくｃｈ一覧画面の移動指示を検出した場合の処理のフローチャートである。
【図９】同じくｃｈストリップ中の選択ボタンの操作を検出した場合の処理のフローチャートである。
【図１０】同じくロータリーエンコーダの操作を検出した場合の処理のフローチャートである。
【発明を実施するための形態】
【００１５】
以下、この発明を実施するための形態を図面に基づいて具体的に説明する。
まず、この発明のパラメータ制御装置の一実施形態について説明する。図１は、この発明のパラメータ制御装置の一実施形態であるデジタルミキサの構成を示すブロック図である。
【００１６】
図１に示す通り、このデジタルミキサ１０は、ＣＰＵ１１、フラッシュメモリ１２、ＲＡＭ１３、外部機器入出力部（Ｉ／Ｏ）１４、表示器１５、操作子１６、波形Ｉ／Ｏ１７、信号処理部（ＤＳＰ）１８を備え、これらがシステムバス１９によって接続されている。そして、複数の入力チャンネル（ｃｈ）から入力する音信号に対して種々の信号処理を施して複数の出力ｃｈから出力する機能を有する音信号処理装置である。
【００１７】
また、ＣＰＵ１１は、このデジタルミキサ１０の全体の動作を制御する制御手段であり、フラッシュメモリ１２に記憶された所要のプログラムを実行して所要のハードウェアを制御する。そして、このことにより、外部機器Ｉ／Ｏ１４及び波形Ｉ／Ｏ１７におけるデータ及び信号の入出力、表示器１５における表示、操作子１６の操作検出、その検出した操作に従ったパラメータの値の変更及び表示の変更、といったものをはじめとする種々の機能を実現する。
【００１８】
フラッシュメモリ１２は、ＣＰＵ１１が実行する制御プログラム等を記憶する書き換え可能な不揮発性記憶手段である。
ＲＡＭ１３は、一時的に記憶すべきデータを記憶したり、ＣＰＵ１１のワークメモリとして使用したりする記憶手段である。
外部機器Ｉ／Ｏ１４は、種々の外部機器を接続し入出力を行うためのインタフェースであり、例えば外部のディスプレイ、マウス、文字入力用のキーボード、可搬記録媒体等を接続するためのインタフェースが用意される。
【００１９】
表示器１５は、ＣＰＵ１１による制御に従って種々の情報を表示する表示手段であり、例えば液晶パネル（ＬＣＤ）や発光ダイオード（ＬＥＤ）によって構成することができる。ここで説明する例では、デジタルミキサ１０は、表示器１５として少なくともパラメータの値の表示や編集操作の受付を行うためのＧＵＩを表示できるサイズのＬＣＤを備える。
操作子１６は、デジタルミキサ１０に対する操作を受け付けるためのものであり、種々のキー、ボタン、ロータリーエンコーダ、スライダ等によって構成することができる。ここでは、表示器１５であるＬＣＤに積層したタッチパネルも用いている。
【００２０】
波形Ｉ／Ｏ１７は、ＤＳＰ１８で処理すべき音信号の入力を受け付け、また処理後の音信号を出力するためのインタフェースである。波形Ｉ／Ｏ１７は、アナログ音信号を外部から受け取りデジタル音信号に変換してＤＳＰ１８に供給するアナログ入力ポート、ＤＳＰ１８からのデジタル音信号をアナログ音信号に変換して出力するアナログ出力ポート、各種伝送形式のデジタル音信号を外部から受け取りＤＳＰ１８に供給するデジタル入力ポート、ＤＳＰ１８からのデジタル音信号を各種伝送形式に変換して外部に出力するデジタル出力ポートを、それぞれ複数備える。
【００２１】
ＤＳＰ１８は、波形Ｉ／Ｏ１７から供給されるデジタルの音信号にミキシングやイコライジング等の信号処理を施し、信号処理後の音信号を再び波形Ｉ／Ｏ１７に出力する機能を備える。その信号処理は各種処理パラメータの現在値（カレントデータ）により制御される。そのカレントデータは、上記操作子１６の操作によりユーザが編集可能であり、ＲＡＭ１３あるいはＤＳＰ１８に備える所定のメモリに記録される。
【００２２】
次に、図２に、図１に示したＤＳＰ１８で実行される信号処理の構成をより詳細に示す。
図２に示すように、ＤＳＰ１８での信号処理は、入力パッチ１２０、入力ｃｈ（チャンネル）１３０、ミキシングバス１４０、出力ｃｈ１５０、出力パッチ１６０を備える。これらの各部の機能は、ソフトウェアによって実現してもハードウェアによって実現してもよい。また、アナログ入力部１１１、デジタル入力部１１２、アナログ出力部１７１、およびデジタル出力部１７２は、波形Ｉ／Ｏ１７の機能によるものである。
【００２３】
そして、ＤＳＰ１８においては、入力パッチ１２０により、１番目（１３０−１）から１２８番目（１３０−１２８）まで１２８ｃｈあるモノラルの入力ｃｈ１３０及び２ｃｈあるステレオ入力ｃｈ１３０−ＳＴ（１３０−ＳＴ１及び図示を省略した１３０−ＳＴ２）にそれぞれ、アナログ入力部１１１あるいはデジタル入力部１１２が備える入力ポートのいずれかをパッチ（結線）することができる。
【００２４】
各入力ｃｈ１３０では、そのパッチされた入力ポートから入力する音信号に対して、レベル調整に加え、ダイナミクス調整や周波数特性調整等の種々の信号処理を行った後、１番目から９６番目までの９６系統のモノラルバスと、それに加えてステレオバス（ＳＴ）を含むミキシングバス１４０のうち任意のバスに対して、処理後の信号を送出する。なお、入力ｃｈ１３０中の各ｃｈからミキシングバス１４０中の各バスに対する出力のレベル及びオンオフは、個別に設定可能である。また、入力ｃｈ１３０には、入力パッチ１２０から２つの音信号を受け取り、それらの音信号をステレオのＬＲ信号として、同様に種々の信号処理を行い、処理後のステレオ信号を任意のバスへ送出するステレオ入力ｃｈ１３０−ＳＴが２つ含まれている。
【００２５】
また、各系統のミキシングバス１４０では、各入力ｃｈ１３０から入力する信号をミキシングし、ミキシング後のモノラルないしステレオの信号を、各系統と対応して１番目（１５０−１）から９６番目（１５０−９６）まで９６ｃｈ設けられた出力ｃｈ１５０及びステレオ出力ｃｈ１５０−ＳＴにそれぞれ出力する。
そして、各出力ｃｈ１５０は、対応するミキシングバスから入力する音信号に対して、レベル調整や周波数特定調整等の種々の信号処理を行った後、出力パッチ１６０によりパッチされた出力先へ出力する。
出力パッチ１６０は、各出力ｃｈ１５０を、アナログ出力部１７１あるいはデジタル出力部１７２が備える入力ポートのいずれかへパッチすることができる。
【００２６】
次に、図３に、デジタルミキサ１０が備える操作パネルの概略構成を示す。
図３に示すように、デジタルミキサ１０は、操作パネル２００上に、割当ｃｈストリップ部２１０、ＳＴ出力用ｃｈストリップ２３０、ＳＴ入力用ｃｈストリップ部２４０、ディスプレイ２５０、バンクスイッチ群２６０、ロータリーエンコーダ２７０及びその他スイッチ２８０を備える。これらの各部は、図１の表示器１５又は操作子１６に該当する。
【００２７】
これらのうち割当ｃｈストリップ部２１０は、８個ずつに区分して配置された１６個のｃｈストリップ２２０−１〜１６を備え、これらの各ｃｈストリップ２２０によりユーザからの操作を受け付ける操作手段である。
各ｃｈストリップ２２０は、複数の操作子を細長い領域に配置したものである。ユーザは、各ｃｈストリップ２２０に制御対象として割り当てる１つのｃｈ（入力ｃｈ１３０又は出力ｃｈ１５０）を変更し、その各操作子を、制御対象のｃｈにおけるパラメータの値を編集するための操作子として用いることができる。すなわち、ｃｈストリップ２２０は、可変割当ｃｈストリップである。この割り当ての方法については後述する。
【００２８】
また、図３の例では、ｃｈストリップ２２０には、操作子として、ノブ２２１、選択ボタン２２２、キューボタン２２３、フェーダ２２４を設けている。
このうちノブ２２１は、制御対象のｃｈにおける１のパラメータを割り当てて、そのパラメータの値の編集操作を受け付けるための操作子である。
選択ボタン２２２は、制御対象のｃｈを選択状態とする操作を受け付けるための操作子である。なお、ディスプレイ２５０には、ｃｈにおけるダイナミクスや周波数特性の個々の詳細調整を行う画面（図示せず）を表示可能であり、その画面において、ユーザは、ここで選択状態とされたｃｈのパラメータの値を調整できる。
【００２９】
キューボタン２２３は、制御対象のｃｈの信号を、特定のモニタ用出力端子へ出力する指示を受け付けるための操作子である。
フェーダ２２４は、つまみ２２４ａのスライド操作により、制御対象のｃｈの音量パラメータの値の編集操作を受け付けるための操作子である。ＣＰＵ１１の制御によりつまみ２２４ａを任意の位置に移動させるためのモータ等の駆動手段を備えた電動フェーダであってもよい。
【００３０】
また、ＳＴ出力用ｃｈストリップ２３０は、ＳＴ出力ｃｈ２３０−ＳＴにおけるパラメータの値を編集するための操作子を備えるｃｈストリップである。すなわち、制御対象が固定的に割り当てられた固定割当ｃｈストリップである。ここでは、ＳＴ出力用ｃｈストリップ２３０が備える操作子の構成は、割当ｃｈストリップ部２１０のｃｈストリップ２２０と同じであるが、必ずしも同じである必要はない。
【００３１】
ＳＴ入力用ｃｈストリップ部２４０は、入力する２つのチャンネルの信号を、ステレオ信号として、同じパラメータを用いて処理するステレオ入力ｃｈにおける各種パラメータの値を編集するための操作子を備えるｃｈストリップを設けた領域である。ＳＴ入力用ｃｈストリップ部２４０には、２つのステレオ入力ｃｈのパラメータの値を編集するための２つのｃｈストリップ２４１−ＳＴ１，ＳＴ２が設けられており、これらのｃｈストリップが備える操作子の構成は、フェーダを備えない点を除き、割当ｃｈストリップ部２１０のｃｈストリップ２２０と同じである。このように、ｃｈストリップによって操作子の構成や配置が異なっていてもよい。ＳＴ入力用ｃｈストリップ部２４０の各ｃｈストリップ２４１も、制御対象が固定的に割り当てられた固定割当ｃｈストリップである。
【００３２】
ディスプレイ２５０は、ＧＵＩ等の種々の画面を表示するための表示手段である。このディスプレイ２５０は、特段いずれかのｃｈストリップと対応して設けられたものではない。
バンクスイッチ群２６０は、割当ｃｈストリップ部２１０の各ｃｈストリップ２２０に対する制御対象の割り当て内容を規定したバンクを選択するための複数のスイッチである。このバンクには、予め用意されたものとユーザが任意に編集できるものとがあるが、この点については図５を用いて後述する。
【００３３】
ロータリーエンコーダ２７０は、任意のｃｈの任意のパラメータを割り当てて、そのパラメータの値の編集操作を受け付けるために用いることができる操作子である。この割り当ては、所望のｃｈの所望の信号処理モジュールの詳細編集画面（後述）におけるユーザのパラメータ選択操作に従ってＣＰＵ１１が行い、この場合にＣＰＵ１１は第２割当手段として機能する。なお、ロータリーエンコーダ２７０に割り当てるパラメータは、いずれかのｃｈストリップに割り当てられている制御対象におけるパラメータの中から選択する。しかし、その後ｃｈストリップへの制御対象の割り当てが変更されることにより、いずれのｃｈストリップの制御対象ともなっていないｃｈのパラメータがロータリーエンコーダ２７０に割り当てられた状態となることもあり得る。
【００３４】
その他スイッチ２８０は、以上説明してきたもの以外の操作を受け付けるための操作子である。この操作には、例えば、ノブ２２１やロータリーエンコーダ２７０へのパラメータの割り当て、バンクの編集、ｃｈストリップ２２０へのバンクによらない制御対象の割り当て、等が含まれる。
【００３５】
次に、図４を用いて、ディスプレイ２５０に表示させる画面の１つであるｃｈ一覧画面の表示内容について説明する。この画面の表示内容及びその表示のための制御が、この実施形態において特徴的な点の一つである。
ここで説明するｃｈ一覧画面は、操作パネル２００上の複数のｃｈストリップ（割当ｃｈストリップ部２１０のｃｈストリップ２２０、ＳＴ出力用ｃｈストリップ２３０、ＳＴ入力用ｃｈストリップ部２４０のｃｈストリップ２４１の全て）に割り当てられている複数の制御対象の情報を、一覧形式で表示するものである。ただし、全ｃｈストリップの制御対象に関する情報を一度に表示するのではなく、全ｃｈストリップのうち連続する一部範囲のｃｈストリップの制御対象を表示するものであり、その表示する範囲はユーザの操作に応じて移動される。
【００３６】
ここで、操作パネル２００上の各ｃｈストリップには、ｃｈ一覧画面上における対応する表示の配列順序が予め定義されており、上記の「連続」は、その配列順序が連続していることを意味する。操作パネル上の各ｃｈストリップの配置と類似した配列順序にしておくのが好適である。
図４の例では、左側から順に、割当ｃｈストリップ部２１０のｃｈストリップ２２０−１〜１６、ＳＴ入力用ｃｈストリップ部２４０のｃｈストリップ２４１−ＳＴ１，ＳＴ２、ＳＴ出力用ｃｈストリップ２３０の順序で配列されている。このように、画面中での配列順序は、必ずしも操作パネル２００上でのｃｈストリップの左から右への配置と一致させる必要はない。また、ｃｈストリップが操作パネル２００上で複数段（図３の例ではＳＴ入力用ｃｈストリップ部２４０だけ、他のｃｈストリップとは別の段にある）に配置されていても、画面中では一次元的に配列される。
【００３７】
そして、ｃｈ一覧画面においては、図４に示すように、ｃｈストリップ毎に、縦長の表示領域を設け、そのｃｈストリップに割り当てられた制御対象に関する情報を表示する。
図４において、「ＣＨｎ」（ｎ＝１〜１６）が、割当ｃｈストリップ部２１０のｎ番目のｃｈストリップ２２０に割り当てられた制御対象を示し、ＳＴＩＮ１とＳＴＩＮ２が、２つのステレオ入力ｃｈ１３０−ＳＴ（ＳＴ入力用ｃｈストリップ部２４０のｃｈストリップ２４１に割り当てられた制御対象）を示し、ＳＴＯＵＴが、ステレオ出力ｃｈ１５０−ＳＴ（ＳＴ出力用ｃｈストリップ２３０に割り当てられた制御対象）を示す。また、「ＰＧｍ」（ｍ＝１，２，３，・・・）は、各制御対象におけるｍ番目のパラメータ群を示す。このパラメータ群は、例えばアッテネータ、コンプレッサ、イコライザ、フェーダといった信号処理モジュールを単位として区分けするとよいが、これには限られない。
【００３８】
そして、例えば「ＣＨ１ＰＧ１」と記載された領域には、割当ｃｈストリップ部２１０の１番目のｃｈストリップに割り当てられた制御対象のｃｈにおける、１番目のパラメータ群の情報が表示される。この情報は、例えば現在設定されているパラメータの値に従って、そのパラメータ群と対応する信号処理モジュールにおける信号処理の特性をグラフ等で表示することにより、複数のパラメータの値を表示するものとするとよい。もちろん、個々のパラメータの値を数値表示してもよい。また、ユーザが該当の表示領域に所定の操作を行った場合に、対応するパラメータ群の複数の各パラメータの値の編集操作を受け付けるためのＧＵＩ（詳細編集画面）を、ポップアップ表示させることができるようにするとよい。
【００３９】
例えば、信号処理モジュールの表示領域への１回目のタッチで、ロータリーエンコーダ２７０へ、その信号処理モジュールの代表的なパラメータを割り当て、続けての２回目のタッチで、その信号処理モジュールの詳細編集画面を表示するようにすればよい。この場合、その詳細画面には、エンコーダ２７０に割り当てられたパラメータの値が必ず表示されていることになる。さらに、ユーザが、詳細画面に表示されている別のパラメータを選択すると、エンコーダ２７０への割り当ては、そのパラメータに変更される。なお、制御対象のｃｈの構成に応じて、同じ番号のパラメータ群であっても、パラメータの数や内容が異なり、それに応じて表示の形式や上記の所定の操作に応じた動作が異なる場合があり得る。
一番下の、「ＣＨｎ」のみ記載された行は、制御対象のｃｈの番号や名称を表示するための領域である。
【００４０】
なお、図４に矢印Ａで示した領域が、割当ｃｈストリップ部２１０のｃｈストリップ２２０と対応する表示の領域である。矢印Ｂで示した領域が、ＳＴ入力用ｃｈストリップ部２４０のｃｈストリップ２４１と対応する表示の領域である。矢印Ｃで示した領域が、ＳＴ出力用ｃｈストリップ２３０と対応する表示の領域である。矢印Ｂの領域のｃｈについては、他の領域のｃｈとパラメータの構成が異なるため、画面に表示されるパラメータ群の構成も異なる。
【００４１】
また、ここでは、ディスプレイ２５０に一度に表示できる範囲を、８ｃｈ分の範囲としており、Ｄがその表示範囲の一例を示す。この表示範囲Ｄは、ユーザの操作に従い、矢印Ａ〜Ｃで示す範囲を任意に移動させることができる。この範囲が移動可能範囲である。ただし、ＣＨ１〜ＣＨ８の領域、ＣＨ９〜ＣＨ１６の領域、矢印Ｂ及びＣで示す領域、というように、表示範囲Ｄの位置について固定的な選択肢を予め用意しておき、その選択肢の中からのみ表示範囲Ｄの位置を選択できるようにしてもよい。この場合、表示範囲の移動は、複数のページを切り替えるような操作感となる。
なお、表示範囲の移動を指示するための操作は、例えばディスプレイ２５０上のタッチパネルに対する左右方向へのスワイプ操作やドラッグ操作とすることが考えられる。
【００４２】
以上のｃｈ一覧画面によれば、操作パネル２００上の全てのｃｈストリップと対応する幅のディスプレイを設けることができない場合でも、ユーザが、全てのｃｈストリップと対応するＧＵＩを参照できるようにすることができる。すなわち、ユーザは、各ｃｈストリップに割り当てられた制御対象の情報を、そのＧＵＩにより参照したり、さらにｃｈストリップではできない操作をそのＧＵＩにより実行したりしながら、パラメータの値を編集することができる。このことにより、低コストで操作性のよいパラメータ制御装置を実現することができる。
【００４３】
また、上記のような表示範囲の移動を可能としたことにより、ディスプレイの位置やサイズを必ずしも操作パネル２００上でのｃｈストリップの配置範囲と対応させる必要がない。したがって、ディスプレイの幅よりも広い範囲に設けた複数のｃｈストリップに関して対応するＧＵＩを表示することができ、多種類の制御対象について随時対応するＧＵＩを表示させようとする場合でも、この表示のためにｃｈストリップへの制御対象の割り当て変更が必要になる頻度を低減することができる。この点でも、低コストで操作性のよいパラメータ制御装置を実現することができる。
【００４４】
次に、図５を用いて、操作パネル２００上のｃｈストリップに対する制御対象の割り当て方法について説明する。図５は、その割り当てに用いるバンクデータテーブルの例を示す図である。
デジタルミキサ１０においては、制御対象が可変である割当ｃｈストリップ部２１０の各ｃｈストリップ２２０−１〜１６に割り当てるべき制御対象のｃｈのセットを、バンクとして複数記憶している。そして、ユーザがバンクスイッチ群２６０中のスイッチによりいずれかのバンクを選択すると、ＣＰＵ１１がそのバンクの情報に従って制御対象を各ｃｈストリップ２２０−１〜１６に一括して割り当てる。図５に示すバンクデータテーブルは、このバンクの情報を記憶したテーブルであり、フラッシュメモリ１２に記憶される。
【００４５】
図５に示すバンクデータテーブルには、予め用意された固定のバンクである入力＃１〜入力＃８及び出力＃１〜出力＃６の他、ユーザが編集可能なユーザ＃１〜＃２のバンクが登録されている。そして、各バンクにおいて、１番目から１６番目のｃｈストリップ２２０−１〜１６に、それぞれどのｃｈを割り当てるかを示す情報が登録されている。
このうち入力＃１〜入力＃８はそれぞれ、１２８ｃｈある入力ｃｈ１３０−１〜１２８を、１６ｃｈ毎に各ｃｈストリップ２２０に割り当てるためのものである。図５において、「ＩＮｘ」（ｘ＝１〜１２８）は、ｘ番目の入力ｃｈ１３０−ｘを示す。
【００４６】
また、出力＃１〜出力＃６はそれぞれ、９６ｃｈある出力ｃｈ１５０−１〜９６を、１６ｃｈ毎に各ｃｈストリップ２２０に割り当てるためのものである。図５において、「ＯＵＴｙ」（ｙ＝１〜９６）は、ｙ番目の出力ｃｈ１３０−ｙを示す。
ユーザ＃１〜＃２については、ユーザが各ｃｈストリップ２２０に割り当てるｃｈをそれぞれ任意に設定することができる。ｃｈの番号が左から右へ向かって昇順である必要はないし、１つのバンク内に入力ｃｈ１３０と出力ｃｈ１５０が任意に混在していて構わない。
【００４７】
次に、デジタルミキサ１０においてＣＰＵ１１が実行する処理のうち、ｃｈストリップの機能及び図４を用いて説明したｃｈ一覧画面の表示に関する処理について、図６乃至図１０を用いて説明する。以下に説明する処理は、ＣＰＵ１１が所要のプログラムを実行することにより行うものである。
【００４８】
まず図６に、ｃｈストリップ２２０へのｃｈの割当変更指示を検出した場合の処理を示す。なお、割当変更指示には、上述したバンクの選択指示の他、バンクを用いずに一部のｃｈストリップ２２０に対して任意のｃｈを割り当てる、個別の割当指示も含む。これらの指示を行うためのユーザの操作が、第２操作である。
【００４９】
ＣＰＵ１１は、この割当変更指示を検出した場合、図６の処理を開始する。そしてまず、指示に従って各ｃｈストリップ２２０に割り当てる制御対象のｃｈを変更する（Ｓ１１）。各ｃｈストリップ２２０にどのｃｈを割り当てているかを示す情報は、ＲＡＭ１３に記憶される。
その後、ＣＰＵ１１は、変更後の割り当てに従い、ｃｈ一覧画面全体の画面データを生成する（Ｓ１２）。これは、表示範囲Ｄ以外の部分も含め、矢印Ａ〜Ｃで示した、表示範囲を移動可能な範囲全体の画面データを生成するものである。このように予め画面データを生成しておくことにより、表示範囲の移動時の表示変更を高速に行うことができる。処理の軽減のため、すでに生成されている画面データのうち、ステップＳ１１で割り当てが変更された箇所についてのみ、画面データを更新するとよい。
【００５０】
次に、ＣＰＵ１１は、ステップＳ１２で生成した画面データに基づき、現在の表示範囲の画面をディスプレイ２５０に表示させて（Ｓ１３）、処理を終了する。現在の表示範囲とは、処理のトリガとなった指示がなされた時点で、配列順序のうちの何番目から何番目までのｃｈストリップに関する表示がなされていたかで規定される。
【００５１】
以上の処理において、ステップＳ１１ではＣＰＵ１１は割当手段として機能し、ステップＳ１２及びＳ１３ではＣＰＵ１１は表示制御手段として機能する。
この処理を行うことにより、各ｃｈストリップ２２０の制御対象が変更された場合でも、デジタルミキサ１０は、その変更後の制御対象に関する表示を行うことができる。
【００５２】
次に図７に、ｃｈストリップ２２０中の編集操作子（パラメータの値を編集するための操作子であり、図３の例ではノブ２２１及びフェーダ２２４）の操作を検出した場合の処理を示す。
ＣＰＵ１１は、この操作を検出した場合に、図７の処理により、操作された操作子を含むｃｈストリップに割り当てられているｃｈを特定し（Ｓ２１）、そのｃｈにおける、操作された操作子と対応するパラメータの値を、検出した操作に従って変更する（Ｓ２２）。この時、そのパラメータ値が表示されていれば、同時に、その表示も変更する。
【００５３】
この処理により、各ｃｈストリップに割り当てた制御対象の特定のパラメータ値が、そのｃｈストリップの操作子の操作に応じて変更される。この変更は、可変割当ｃｈストリップでも固定割当ｃｈストリップでも同様に行うことができる。なお、ｃｈストリップに割り当てられているｃｈを特定する処理（Ｓ２１）は、図７の処理に先立って、バンク選択時等の適宜のタイミングで行っておいてもよい。
【００５４】
次に図８に、ｃｈ一覧画面の移動指示を検出した場合の処理を示す。この移動指示は、上述のようにディスプレイ２５０上のタッチパネルに対するスワイプ操作やドラッグ操作により行うことができ、この操作が第１操作に該当する。
ＣＰＵ１１は、この移動指示を検出した場合、図８の処理を開始する。そしてまず、検出した移動指示の操作に基づき、画面の移動方向と移動量を決定する（Ｓ３１）。次に、ＣＰＵ１１は、その決定した移動方向及び移動量と、現在の表示範囲とから、移動後の表示範囲を決定する（Ｓ３２）。この処理は、単純に表示範囲を移動方向へ移動量だけずらすものでよいが、移動可能範囲の端に到達した場合には、その端の位置を移動後の表示範囲とする。
【００５５】
また、表示範囲を固定の選択肢（例えば、所定数のｃｈストリップおきに設定された表示範囲）から選択すべき場合には、移動方向及び移動量に基づいて定まる表示範囲から最も近い選択肢を、移動後の表示範囲とするとよい。例えば、図４において、８ｃｈストリップ毎に固定の選択肢を設定した場合、第１の選択肢として制御対象ＣＨ１〜ＣＨ８の８チャンネルが表示され、第２の選択肢として制御対象ＣＨ９〜ＣＨ１６の８チャンネルが表示され、第３の選択肢としてＳＴＩＮ１、ＳＴＩＮ２、ＳＴＯＵＴの３チャンネルと５つのブランクが表示される。ここで、ブランクは、制御対象が無く何も表示されない縦長の表示領域である。
【００５６】
その後、ＣＰＵ１１は、ディスプレイ２５０の表示を、移動後の表示範囲における表示に更新（Ｓ３３）して処理を終了する。この更新は、ディスプレイ２５０の表示を、ある一部範囲のｃｈストリップに割り当てられた制御対象のパラメータ値の表示から、別の一部範囲のｃｈストリップに割り当てられた制御対象のパラメータ値の表示に変更するものである。この時、新たに表示されるパラメータ値の表示は、カレントデータに含まれる当該パラメータの値に基づいて更新される。また、この更新の処理は、表示を移動前の表示範囲から移動後の表示範囲へ連続的にスクロールする処理を含んでいてよい。
【００５７】
以上の処理において、ＣＰＵ１１は表示制御手段として機能する。
この処理を行うことにより、デジタルミキサ１０は、図４を用いて説明したような、ｃｈ一覧画面の表示範囲の変更を行うことができる。なお、上記の移動指示に応じてｃｈストリップへの制御対象の割り当てが変更されることはない。
【００５８】
次に図９に、ｃｈストリップ２２０中の選択ボタン２２２の操作を検出した場合の処理を示す。
ＣＰＵ１１は、選択ボタン２２２の操作を検出した場合に、図９の処理を開始する。そして、まず操作された選択ボタン２２２を含むｃｈストリップに割り当てられているｃｈ（制御対象）を選択状態とする（Ｓ４１）。
【００５９】
次に、ＣＰＵ１１は、ディスプレイ２５０にｃｈ一覧画面を表示中であるか否か判断し（Ｓ４２）、表示中である場合、ｃｈ一覧画面の表示更新に関するステップＳ４３以下の処理に進む。
そして、操作された選択ボタン２２２を含むｃｈストリップに関する表示が、ｃｈ一覧画面における現在の表示範囲に含まれない場合（Ｓ４３のＮｏ）、ＣＰＵ１１は、そのｃｈストリップを含むように移動後の表示範囲を決定し（Ｓ４４）、ディスプレイ２５０の表示を、移動後の表示範囲における表示に更新（Ｓ４５）して処理を終了する。ステップＳ４５の更新の処理は、処理としてはステップＳ３３の場合と同様なものであるが、ディスプレイ２５０の表示を、選択された制御対象が割り当てられたｃｈストリップを含む連続する一部範囲のｃｈストリップに割り当てられた制御対象のパラメータ値の表示に変更するものである。
【００６０】
また、ステップＳ４４では、例えば該当のｃｈストリップが表示範囲の中央にくるように表示範囲を決定したり、所定数のｃｈストリップおきの表示範囲から当該ｃｈストリップを含む１つの表示範囲を決定するとよいが、それ以外にも、該当のｃｈストリップが表示範囲に含まれていれば、任意の位置に決定してよい。
また、ステップＳ４３でＹｅｓの場合には、表示範囲を変更する必要がないため、そのまま処理を終了する。
また、ステップＳ４２でＮｏの場合には、ＣＰＵ１１は、表示中の画面に応じた表示更新処理を行って（Ｓ４６）、処理を終了する。例えば、ある制御対象のある信号処理モジュールの詳細編集画面が表示されていた場合、ＣＰＵ１１は、それに替えて、新たに選択された制御対象の同種の信号処理モジュールの詳細編集画面をディスプレイ２５０に表示させる。
【００６１】
以上の処理において、ステップＳ４１ではＣＰＵ１１は選択手段として機能し、ステップＳ４４及びＳ４５ではＣＰＵ１１は表示制御手段として機能する。
この処理により、デジタルミキサ１０は、ユーザがいずれかのｃｈを選択した場合に、ｃｈ一覧画面中でその選択したｃｈの情報を表示させることができる。選択したｃｈは、ユーザが現在注目しているｃｈなので、そのｃｈの情報を表示させることにより、効率のよいパラメータ編集操作が可能になる。
【００６２】
次に図１０に、ロータリーエンコーダ２７０の操作を検出した場合の処理を示す。
ＣＰＵ１１は、ロータリーエンコーダ２７０の操作を検出した場合に、図１０の処理を開始する。そして、まずロータリーエンコーダ２７０に割り当てられているパラメータの値を、検出した操作に従って変更する（Ｓ５１）。この時、そのパラメータ値が表示されていれば、同時に、その表示も変更する。
【００６３】
次に、ＣＰＵ１１は、ディスプレイ２５０にｃｈ一覧画面を表示中であるか否か判断し（Ｓ５２）、表示中である場合、ｃｈ一覧画面の表示更新に関するステップＳ５３以下の処理に進む。
そして、ロータリーエンコーダ２７０に割り当てられているパラメータが属する制御対象のｃｈがいずれかのｃｈストリップに割り当てられているか否か判断する（Ｓ５３）。ここでいうｃｈストリップは、可変割当ｃｈストリップでも、固定割当ｃｈストリップでもよい。ここでＮｏであれば、ｃｈ一覧画面の表示を変更しても、ステップＳ５１で変更したパラメータの値を表示することができないため、ｃｈ一覧の画面の表示変更について検討する必要がなく、そのまま処理を終了する。
【００６４】
一方、ステップＳ５３でＹｅｓの場合、ＣＰＵ１１は、図９のステップＳ４３乃至Ｓ４５と同様な処理を行って、処理を終了する。すなわち、割り当て先のｃｈストリップに関する表示が、ｃｈ一覧画面における現在の表示範囲に含まれない場合に、ディスプレイ２５０の表示を、そのｃｈストリップを含むような表示範囲における表示に更新する（Ｓ５４〜Ｓ５６）。
また、ステップＳ５２でＮｏの場合には、ＣＰＵ１１は、表示中の画面に応じた表示更新処理を行って（Ｓ５７）、処理を終了する。
【００６５】
以上の処理において、ステップＳ５４乃至Ｓ５６でＣＰＵ１１は表示制御手段として機能する。
この処理により、デジタルミキサ１０は、ユーザがロータリーエンコーダ２７０の操作によりパラメータの値を変更した場合に、ｃｈ一覧画面中でそのパラメータを含むｃｈの情報を表示させることができる。パラメータの値を変更したｃｈは、ユーザが注目するｃｈであると考えられるから、そのｃｈの情報を表示させることにより、効率のよいパラメータ編集操作が可能になると考えられる。
【００６６】
以上で実施形態の説明を終了するが、装置の構成、操作パネルや画面の具体的な構成、具体的な処理の手順、使用するデータの構成や内容などが、上述の実施形態で説明したものに限られないことはもちろんである。
例えば、ｃｈ一覧画面の表示範囲を移動する指示は、スワイプ操作やドラッグ操作に限られない。表示範囲の移動方向及び移動量を指示できる操作であれば任意の操作を採用可能である。あるいは、移動量を固定として移動方向のみ指示するようにしてもよい。具体例としては、スクロールバーを用意してスクロール指示を受け付ける方法や、カーソルスイッチを用意してスイッチの操作毎に１つあるいは複数のｃｈストリップ分ずつ表示範囲を移動させる方法が考えられる。
また、表示範囲を固定の選択肢から選択する構成を採用する場合において、ドラッグ操作中は、操作位置の移動に伴って任意に表示範囲を移動させ、ドラッグ操作の終了に応じて、その時点の表示範囲から最も近い選択肢へ表示範囲を移動させることも考えられる。
【００６７】
また、ｃｈストリップへの制御対象の割り当てについて、割り当てｃｈストリップ部２１０のｃｈストリップ２２０のうち一部への割り当てを、バンクを用いて行うことができるようにしてもよい。この場合、一部への割り当てのみを定義したバンクを用意しても、図５に示したようなバンクを用いた割り当ての実行範囲を限定する設定を別途受け付けてもよい。また、操作パネル上に割り当てｃｈストリップ部を複数設け、バンクを用いた制御対象の割り当てを、個別に行うようにしてもよい。なお、上述した実施形態において、バンクを用いた制御対象の割り当てができることは、必須ではない。割り当てを全てｃｈストリップ１つずつ手動で行う場合でも、ｃｈ一覧画面の表示による効果は得られる。
【００６８】
また、ｃｈ一覧画面の表示につき、上述した実施形態では、ｃｈストリップへの制御対象の割り当て変更時に図６の処理で全体の画面データを生成して保持し、表示範囲が移動された場合にその画面データを読み出して表示を行うようにしていた。しかし、表示範囲を移動するごとに、その時点の割り当て内容に基づいて表示に必要な範囲の画面データを生成するようにしてもよい。また、操作パネル上の全ｃｈストリップの数は固定であり、ｃｈ一覧画面全体の広さも変化しないので、デジタルミキサ１０の起動時にその広さに応じた画面データを生成し、ｃｈ一覧画面の表示時に、そのうちの表示範囲の画面データだけを更新するようにしてもよい。
【００６９】
また、操作パネル２００上でのｃｈストリップは、上述した実施形態では図３のように２段に配置されていたが、１段でも、３段以上でも構わない。さらに、直線状でなく、円弧等の曲線に沿って配置しても、或いは、波線に沿ったようなジグザグ配置でも構わない。また、一部が横方向に、他の一部が縦方向に並べて配置される等、場所によって配置する方向が異なっていてもよい。これに伴い、ｃｈストリップの形状や、ｃｈストリップに備える操作子の数、形状及び機能等が、ｃｈストリップ毎に異なっていてもよい。
【００７０】
いずれの場合も、操作パネル上でのｃｈストリップの配置と関連付けて画面上での配列順序を定めておけば、ユーザは、ｃｈ一覧画面上での各ｃｈストリップと対応する表示を特定しやすくなる。また、この配列順序を、ユーザの操作に従って変更できるようにしてもよい。
【００７１】
また、上述した実施形態におけるロータリーエンコーダ２７０のように、任意のパラメータを割り当ててそのパラメータの編集に用いることができる操作子を、複数設けたり、異なる形状で設けたりしてもよい。
また、選択ボタン２２２やロータリーエンコーダ２７０以外の操作子が操作された場合でも、図９のステップＳ４２乃至Ｓ４４あるいは図１０のステップＳ５２乃至Ｓ５５のように、ｃｈ一覧画面において、操作がなされたｃｈを含む表示がなされるように、表示範囲を移動させる処理を行うようにしてもよい。逆に、選択ボタン２２２やロータリーエンコーダ２７０が操作されても、このような表示範囲の移動処理を行わないようにしてもよい。
【００７２】
上述したように、図９や図１０の処理には特有の意味があるが、どの操作子が操作された場合に上記の表示範囲を移動させる処理を行うかは、任意に定めることができる。全ての操作子について、表示範囲を移動させる処理を行うようにしてもよいし、表示範囲を移動させる操作以外に応じた表示範囲の移動を全く行わないようにしてもよい。
【００７３】
また、ｃｈ一覧画面の構成につき、図４の例は一例であり、これには限られない。例えば、図４の例では、操作パネル２００上におけるｃｈストリップの配置に対応して、一部のｃｈストリップと対応する表示の間に間隙を設けているが、このようにする必要はない。また、表示範囲内のｃｈ（あるいはｃｈストリップ）の数は任意である。ただし、移動可能範囲全体のｃｈ数よりは少ないものとする。
【００７４】
また、以上説明したデジタルミキサ１０の機能は、汎用コンピュータを含む任意のコンピュータに所要のプログラムを実行させて、操作パネル上に所定の順番で配置された複数のチャンネルストリップを備える装置を制御させることによっても実現可能である。また、デジタルミキサ１０の機能を、複数の装置に分散して設け、それらを協働させて、デジタルミキサ１０と同等な機能を備えるシステムとして動作させることもできる。
【００７５】
また、上記のプログラムは、はじめからコンピュータに備えるＲＯＭや他の不揮発性記憶媒体（フラッシュメモリ，ＥＥＰＲＯＭ等）などに格納しておいてもよい。しかし、メモリカード、ＣＤ、ＤＶＤ、ブルーレイディスク等の任意の不揮発性記録媒体に記録して提供することもできる。それらの記録媒体に記録されたプログラムをコンピュータにインストールして実行させることにより、必要な処理をコンピュータに実行させることができる。
さらに、ネットワークに接続され、プログラムを記録した記録媒体を備える外部装置あるいはプログラムを記憶手段に記憶した外部装置からダウンロードし、コンピュータにインストールして実行させることも可能である。
【００７６】
また、この発明は、デジタルミキサ以外にも、複数の信号処理チャンネルで信号処理を行う任意の音信号処理装置におけるパラメータの制御に適用可能である。例えば、エフェクタ、レコーダ、アンプ、シンセサイザ等に適用することが考えられる。さらに、音信号処理装置以外の任意の電子装置におけるパラメータの制御にも、同様に適用可能である。ユーザの操作を受け付ける装置と、制御対象のパラメータの値を記憶する装置とが異なっていても、もちろん構わない。
また、以上述べてきた構成及び変形例は、矛盾しない範囲で適宜組み合わせて適用することも可能である。
【産業上の利用可能性】
【００７７】
以上の説明から明らかなように、この発明によれば、低コストで操作性のよいパラメータ制御装置を実現することができる。
【符号の説明】
【００７８】
１０…デジタルミキサ、１１…ＣＰＵ、１２…フラッシュメモリ、１３…ＲＡＭ、１４…外部機器Ｉ／Ｏ、１５…表示器、１６…操作子、１７…波形Ｉ／Ｏ、１８…ＤＳＰ、１９…システムバス、１１１…アナログ入力部、１１２…デジタル入力部、１２０…入力パッチ、１３０…入力ｃｈ、１４０…ミキシングバス、１５０…出力ｃｈ、１６０…出力パッチ、１７１…アナログ出力部、１７２…デジタル出力部、２００…操作パネル、２１０…割当ｃｈストリップ部、２２０，２４１…ｃｈストリップ、２２１…ノブ、２２２…選択ボタン、２２３…キューボタン、２２４…フェーダ、２２４ａ…つまみ、２３０…ＳＴ出力用ｃｈストリップ、２４０…ＳＴ入力用ｃｈストリップ部、２５０…ディスプレイ、２６０…バンクスイッチ群、２７０…ロータリーエンコーダ、２８０…その他スイッチ、Ｄ…表示範囲
【図１】
0006627247.tif 000002
【図２】
0006627247.tif 000003
【図３】
0006627247.tif 000004
【図４】
0006627247.tif 000005
【図５】
0006627247.tif 000006
【図６】
0006627247.tif 000007
【図７】
0006627247.tif 000008
【図８】
0006627247.tif 000009
【図９】
0006627247.tif 000010
【図１０】
0006627247.tif 000011